(57)【特許請求の範囲】
【請求項１】
投入硬貨を識別するコインメック内に貯留されている硬貨を回収容器に収容するための自動販売機の硬貨回収装置において、前記コインメックから払出された硬貨を外扉の釣銭返却口に臨むコイン受けに案内するコインシュートと、前記コイン受けに隣接して着脱可能に装着される前記回収容器と、回動可能に支持され一方の回動位置では前記コインシュートの側壁の一部を構成し他方の回動位置ではコインシュートに払い出された硬貨を途中で前記回収容器に向けて案内するガイド板と、前記回収容器の装着により前記ガイド板を前記他方の回動位置に回動させかつ回収容器の取外しによりガイド板を前記一方の回動位置に自動的に復帰させる切替手段とを備え、前記切替手段が、ガイド板の支軸延長部が摺動する横溝、前記支軸延長部下方に突設されたガイドピンの係合する縦溝及び前部に回収容器への係止用フックを有し、前記回収容器へ係止させるために前記横溝の案内により前方へ移動させると前記縦溝を摺動するガイドピンを介して前記ガイド板を他方の回動位置に回動させる切替板と、回収容器の取外しにより前記切替板を後方に移動させ切替板及びガイド板を復帰させる付勢ばねとからなることを特徴とする自動販売機の硬貨回収装置。
【発明の詳細な説明】
【０００１】
【産業上の利用分野】
この発明は、コインメック内に釣銭用に貯留されている硬貨を回収する場合に、直接コイン回収容器に回収できる自動販売機の硬貨回収装置に関する。
【０００２】
【従来の技術】
自動販売機は、硬貨投入口に投入された硬貨をコインメックによって識別して商品の搬出信号を出させ、かつ釣銭に用いられる前記硬貨をコインメック内に収容し、この収容硬貨の中から釣銭を釣銭返却口に搬出する。一方売上を確かめるためオペレータがコインメック内の硬貨を回収する場合には、コインメック中の硬貨を直接回収容器に回収するための硬貨回収装置が設けられている。この種の硬貨回収装置として図４ないし図６に示すものが既に「実開平３−１３５８２」で公開されており公知である。
【０００３】
図において、１は自動販売機の正面をなす外扉で浅い箱形に形成され、全面上部に図示しない硬貨投入口を有し、その下方に釣銭返却口２が開口する。この釣銭返却口２はフラッパ２１を有し、又その奥に搬出された釣銭を受け止めるコイン受け２２を備える。３は前記硬貨投入口に投入され送り込まれた硬貨を識別して商品の搬出信号を出し、必要な硬貨を釣銭用に貯留するコインメックである。４はコインメック３内に貯留されている硬貨を回収する際に、回収硬貨を収容するコイン回収容器、５は前記回収硬貨を回収容器４に案内するコインガイドである。６はコインシュートで上端がコインメック３の払出口に臨んで開口し下端がコイン受け２２の上面開口及びコインガイド５の上面開口双方に臨んで開口する略角筒状に形成される。７は切替装置で回動可能に支軸７１を介してコインシュート６に支持されるガイド板７２を備える。又コインシュート６の側板には円弧状の溝６１が形成されるとともにガイド板７２の端面上に溝６１と係合するピン７３が突設される。更にピン７３と前記側板に突設されたピン６２とに両端がそれぞれ固定される引張りばね７４が設けられる。ばね７４はピン７３が溝６１の中央にある時が最も引っ張られた状態となりピン６１を溝６１のいずれかの端部にひっぱる作用をする。
【０００４】
上記硬貨回収装置は、常時即ち自動販売機の稼働時にはガイド板７２がばね７４に付勢されて図４の実線で示すＡの状態に保持され、このガイド板２によってコインメック３の下端開口のうちコインガイド５に臨む部分を遮蔽するとともにコインメック３から払出された釣銭としての硬貨１０をコイン受け２２に案内する返却通路を形成する。しかしてコインメック３から払出された釣銭はコイン受け７２に送出され客の手で釣銭返却口２から取り出される。
【０００５】
一方オペレータによってコインメック３内に貯留されている硬貨を回収する場合には硬貨回収装置は外扉１を開放した後、ガイド板７２をその上端部を押し込んで回動させることにより、ガイド板７２がばね付勢により図４の破線で示すＢの状態に保持される。この、ガイド板７２がコインメック３の下端開口のうちコイン受け２２に臨む部分を遮蔽するとともに、コインメック３から払出された硬貨１０をコインガイド５に案内する回収通路を形成する。しかしてオペレータが回収釦を押すことによりコインメック３の払出口から払出された硬貨１０はコインメック３内の回収通路を通りコインガイド５に送られ、回収容器４に集められる。硬貨を回収した後ガイド板７２がオペレータによって回動させられ再び稼働時の状態に復帰させられる。
【０００６】
【発明が解決しようとする課題】
ところで従来の硬貨回収装置は硬貨回収の際に、自動販売機の稼働時の状態に復帰させるにはガイド板７２を手で回動させるように構成されている。殊に復帰時にガイド板７２を戻し忘れると客に釣銭が返却されないこととなり自動販売機にとって致命的なトラブルとなる。このためにガイド板７２を戻し忘れていた場合、外扉が閉じるのに伴ってガイド板７２を回動させるアクチュエ−タを設け、トラブルの防止が図られている。ところがこの場合には防止手段により構成が複雑になり、かつ外扉閉成前にガイド板７２の回動、即ちコインシュート６内の前記返却通路の形成を確認できない不満も残る。更にコインシュート６が下端開口をコイン受け２２及びコインガイド５の両方に臨ませるために外形が大きくなる難点があった。
【０００７】
この発明は、自動販売機の稼働時の状態に復帰させる際に切替手段を意識的に動作させる必要がなく、前記状態に自動的に復帰して前記トラブル発生の心配がなく、又コインシュートの小形化が図れる自動販売機の硬貨回収装置を提供することを目的とする。
【０００８】
【課題を解決するための手段】
上記目的を達成するために、この発明によれば、投入硬貨を識別するコインメック内に貯留されている硬貨を回収容器に収容するための自動販売機の硬貨回収装置において、前記コインメックから払出された硬貨を外扉の釣銭返却口に臨むコイン受けに案内するコインシュートと、前記コイン受けに隣接して着脱可能に装着される前記回収容器と、回動可能に支持され一方の回動位置では前記コインシュートの側壁の一部を構成し他方の回動位置ではコインシュートに払い出された硬貨を途中で前記回収容器に向けて案内するガイド板と、前記回収容器の装着により前記ガイド板を前記他方の回動位置に回動させかつ回収容器の取外しによりガイド板を前記一方の回動位置に自動的に復帰させる切替手段とを備え、前記切替手段が、ガイド板の支軸延長部が摺動する横溝、前記支軸延長部下方に突設されたガイドピンの係合する縦溝及び前部に回収容器への係止用フックを有し、前記回収容器へ係止させるために前記横溝の案内により前方へ移動させると前記縦溝を摺動するガイドピンを介して前記ガイド板を他方の回動位置に回動させる切替板と、回収容器の取外しにより前記切替板を後方に移動させ切替板及びガイド板を復帰させる付勢ばねとからなるものとする。
【０００９】
【作用】
硬貨回収装置を自動販売機の稼働時の状態に復帰させる際には、回収容器を取外すことにより、切替手段がばね付勢によって後方に移動し硬貨回収装置を自動的に前記状態に復帰させる。従って切替忘れを生じることがなく前記トラブル発生の心配が確実に解消される。又外扉閉成前に復帰を確認することができる。更にコインシュートは下端開口がコイン受けにのみ臨ませればよく、その小形化を図ることができる。
【００１０】
【実施例】
図１ないし図３はこの発明の実施例を示すもので、図４ないし図６と共通あるいは同一の部分は同じ符号で示す。図１ないし図３において、６Ａは前記コインメック３の釣銭用払出口に臨んで設けられるコインシュートで下端開口がコイン受け２２だけに臨む大きさをなし、前板（外扉１からは後方側）の一部がガイド板７２Ａによって構成される。このガイド板７２Ａは一端がコインシュート６Ａの側板より突出して延長部としてなる支軸７１を介して回動可能に前記側壁に支持され、かつ支軸７１の下方にコインシュート６Ａの側板にあけられた円弧状の溝６３を摺動し、前記延長部と並んで一端が突出するピン７６が設けられる。外扉１のコイン受け２２下方には硬貨回収時に回収容器４を係止させるための取付金具１１が設けられる。
【００１１】
尚、外扉１に収容設置されるコインメック３は前述の釣銭用硬貨及び貯留中の硬貨を払出す払出口の他に、既に貯留容器が満杯で投入硬貨を収容できないときに、これを回収容器４に直接送り出す払出口を備える。図３に示す如く硬貨回収装置は前記直接払出される払出口に臨んで設置されるコインシュート８を備え、自動販売機の稼働時には回収容器４がコインシュート８の下方にセットされている。７７は切替装置７Ａとしてなる切替板で支軸７１の延長部が係合する横溝７７ａ、前記ピン７６が係合するとともに前記横溝７７ａと連なる縦溝７７ｂ、前端に下向きに屈曲するフック７７ｃ及び上部前端に取手７７ｄを有し、前後に稼働可能に前記支軸７１及びピン７６に支持される。７８は両端が外扉１と切替板７７にそれぞれ連結され切替板７７を後方へ即ち外扉前面側に付勢するばねである。
【００１２】
前述の構成において、自動販売機の稼働時には、硬貨回収装置は前述の如く回収容器４がコインシュート８の下方に取付けられている。かつ図１及び図２の実線に示す如く７７がばね７８にひっぱられて後方位置に、又ガイド板７２Ａがコインシュート６Ａの前板を構成する状態にあり、コインシュート６Ａはコイン受け２２への返却通路を構成する。しかしてコインメック３から釣銭として払出された硬貨１０はコインシュート６Ａに案内されながらこれを通り抜けてコイン受け２２に送り出され、釣銭返却口２から客の手で取り出される。
【００１３】
一方オペレータによってコインメック内の硬貨が回収される際には、外扉１を開放した後回収容器４が図３の実線で示す位置から図２に示すコイン受け２２に隣接する位置に移され取付金具１１に係止されるとともに、その上端の取手７７ｄを持って引出された切替板７７のフック７７ｃがひっ掛けられる。これによって回収容器４はコイン受け２２に引きつけられその前方に隣接して保持される。前記切替板７７は前方へ引出されるときに、支軸７１を摺動する横溝７７ａの案内によって前方へ移動するとともに、縦溝７７ｂがピン７６を押し上げてガイド板７２Ａを図１、図２の破線の位置に回動させる。しかしてコインシュート６Ａはコイン受け２２への通路が途中で遮断されるとともに、ガイド板７２Ａが回収容器４へ向けてのシュートを形成しかつコインシュート６Ａの前板に通路孔６４を開口させ、回収容器４へ向けて回収通路が形成される。オペレータが回収用押釦スイッチを押すことによって、コインメック３内に貯留されていた硬貨１０が釣銭用払出口からコインシュート６Ａに払い出される。この硬貨１０はガイド板７２Ａ上に落下しガイド板７２Ａに案内され通路孔６４を通り回収容器４に送り込まれる。従って、オペレータは回収容器４を取外し中の硬貨１０をバッグ等に移し替えるだけで全ての硬貨を回収できる。前記回収容器４を取外すことにより、ばね６８に付勢される切替板７７が後方へ移動し、縦溝７７ｂ及びピン７６を介してガイド板７２が回動させられ元の状態に復帰する。硬貨を移し終えた回収容器４をコインシュート８に臨む元の位置に再セットすれば硬貨回収装置は前記稼働時の状態となる。このように意識的に切替装置７Ａを操作することなく、回収作業に必然的に伴う回収容器４の移動によって稼働時の状態への切替が行われる。又前記ガイド板７２が復帰しコインシュート６Ａに硬貨の返却通路の形成されたことが確認でき自動販売機を安心して再稼働させられる。
【００１４】
【発明の効果】
この発明によれば、投入硬貨を識別するコインメック内に貯留されている硬貨を回収容器に収容するための自動販売機の硬貨回収装置において、前記コインメックから払出された硬貨を外扉の釣銭返却口に臨むコイン受けに案内するコインシュートと、前記コイン受けに隣接して着脱可能に装着される前記回収容器と、回動可能に支持され一方の回動位置では前記コインシュートの側壁の一部を構成し他方の回動位置ではコインシュートに払い出された硬貨を途中で前記回収容器に向けて案内するガイド板と、前記回収容器の装着により前記ガイド板を前記他方の回動位置に回動させかつ回収容器の取外しによりガイド板を前記一方の回動位置に自動的に復帰させる切替手段とを備え、前記切替手段を、ガイド板の支軸延長部が摺動する横溝、前記支軸延長部下方に突設されたガイドピンの係合する縦溝及び前部に回収容器への係止用フックを有し、前記回収容器へ係止させるために前記横溝の案内により前方へ移動させると前記縦溝を摺動するガイドピンを介して前記ガイド板を他方の回動位置に回動させる切替板と、回収容器の取外しにより前記切替板を後方に移動させ切替板及びガイド板を復帰させる付勢ばねとにより構成するようにしたので、硬貨回収装置が稼働時の状態に、意識的な操作を必要とすることなく殆ど自動的に切替られ、客に釣銭が返却されない等のトラブルの発生が解消される。又回収作業において釣銭の返却通路の確認ができて自動販売機を安心して再稼働させることができる。更にコインメックからコイン受けに釣銭を案内するコインシュートが小形化され機内スペースの有効利用に寄与することができる。
【図面の簡単な説明】
【図１】この発明の実施例を示す硬貨回収装置のコインシュートの外側切断面における断面図
【図２】図１に示す硬貨回収装置のコインシュートの略中央切断面における断面図
【図３】図１に示す硬貨回収装置の正面図
【図４】従来の硬貨回収装置の断面図
【図５】従来の硬貨回収装置の側面図
【図６】従来の硬貨回収装置の正面図
【符号の説明】
１    外扉
２    釣銭返却口
３    コインメック
４    回収容器
６    コインシュート
６Ａ  コインシュート
７    切替装置
７Ａ  切替装置
１０    硬貨
２２    コイン受け
７２Ａ  ガイド板
７７    切替板
７８    ばね
【図１】
0003547220.tif 000002
【図２】
0003547220.tif 000003
【図３】
0003547220.tif 000004
【図４】
0003547220.tif 000005
【図５】
0003547220.tif 000006
【図６】
0003547220.tif 000007